(57)【要約】【課題】  従来，スギ，ヒノキに代表される人工林では，間伐，枝打ち等の森林整備によって，立木密度を低下させることで森林内照度を確保すれば森林の機能が回復するとされてきた。しかし，過密に植栽された人工林内は低照度によって維持されている期間が長いことから土壌の酸性化の進行が顕著となって植生の回復していない箇所が多くなっている。また，酸性硫酸塩土壌等の特殊土壌であることから土壌ｐＨが著しく低下して強酸性となっている箇所においても，そのまま放置した状態で土壌環境の改善が望めない。【解決手段】  土壌ｐＨの著しい低下により強酸性土壌となっている対象地に対して，鋼を作る際に発生する転炉スラグと有機質資材等を混合した客土を植生基材吹付機で対象面に吹き付けることによって，土壌ｐＨが著しく低下して機能不全となっている土壌構造の改善を目的とした転炉スラグを用いた酸性緩和工法。【選択図】      図１
2011099061.tif 000002
【特許請求の範囲】
【請求項１】
土壌の酸性を緩和するように転炉スラグと種子，バーク系の有機質資材を含有した客土を酸性緩和基盤材とし、当該酸性緩和基盤材をハイドロシーダー又はモルタル・コンクリート吹付機等の吹付機や人力による播き出し，油圧ショベルによる混合して対象地に残置させることによって酸性土壌の構造を回復できるようにすることを特徴とする転炉スラグを用いた酸性緩和工法。
【請求項２】
転炉スラグは，バーク系の有機質資材に対して容量換算で５〜９０％配合したものを用いることとし，配合された酸性緩和基盤を吹付機内で混合して客土を作成し，当該対象面への吹き付けを行うようにする請求項１記載の転炉スラグを用いた酸性緩和工法。
【請求項３】
転炉スラグは，バーク系の有機質資材に対して容量換算で５〜９０％配合したものを用いることとし，配合された酸性緩和基盤を人力によって播き出して，当該対象面へ供給する請求項１記載の転炉スラグを用いた酸性緩和工法。
【請求項４】
転炉スラグは，バーク系の有機質資材に対して容量換算で５〜９０％配合したものを用いることとし，配合された酸性緩和基盤を油圧ショベルで対象土壌と混合しながら，当該対象面へ供給する請求項１記載の転炉スラグを用いた酸性緩和工法。
【請求項５】
バーク系の有機質資材のバーク堆肥は，Ｃ／Ｎ比で３５以下，有機物含有量７０％以上の資材を用いることとし，ｐＨ(Ｈ2Ｏ)で５.５〜７.５，電気伝導度が０.９ｍＳ／ｃｍ以下の値のものを利活用する請求項１記載の転炉スラグを用いた酸性緩和工法。
【請求項６】
森林および強酸性土壌のｐＨを上昇させる緩衝資材としての転炉スラグは，ｐＨ(Ｈ2Ｏ)で１１.０以上のものを利活用する請求項１記載の転炉スラグを用いた酸性緩和工法。
【請求項７】
森林および強酸性土壌のｐＨを上昇させる緩衝資材としての転炉スラグは，粒径φ＝２〜５ｍｍのものを利活用する請求項１記載の転炉スラグを用いた酸性緩和工法。
【請求項８】
客土に肥料を配合して，強酸性の対象地の土壌の化学性の分析値を用いて陽イオン交換容量に占めるＣａ，Ｍｇ，Ｋ等の塩基量の過不足量に見合った施肥設計を利活用する請求項１記載の転炉スラグを用いた酸性緩和工法。
【請求項９】
対象地の土壌分析結果から，Ｃａ，Ｍｇ，Ｋ等の塩基類を吸着する機能である陽イオン交換容量が低い場合には，客土に陽イオン交換容量を高めるゼオライト系資材を配合する請求項１記載の転炉スラグを用いた酸性緩和工法。
2011099061.tif 000003
【発明の詳細な説明】
【技術分野】
【０００１】
本発明は，間伐，枝打ち等の森林整備が遅れることで土壌の酸性化が進行して土壌養分が流亡，団粒化が損なわれて土砂流出防止等の公益的機能が維持できなくなったスギ，ヒノキ等の人工林や酸性硫酸塩土壌等の特殊土壌であることから強酸性となって土壌ｐＨの著しい低下を起こしている対象地に対して，鋼を作る際に発生する転炉スラグと有機質資材等を混合した客土を植生基材吹付機で対象面に吹き付ける手法や播き出す手法，油圧ショベルで混合する手法によって，土壌ｐＨが著しく低下して機能不全となっている土壌構造の改善することを可能にしたものである。
【背景技術】
【０００２】
一般的にスギ，ヒノキに代表される人工林では，間伐，枝打ち等の森林整備事業によって，立木密度を低下させることで森林内照度を確保すれば森林の機能が回復するとされてきた。しかし，過密に植栽された人工林内は低照度によって維持されている期間が長いことから土壌の酸性化の進行が顕著となっている。
また，酸性硫酸塩土壌等の特殊土壌によって土壌ｐＨが著しく低下して強酸性となっている箇所においても，そのまま放置した状態で土壌環境の改善が望めない状態となっている。その対処法として，無機物である石灰岩砕石，鉱滓スラグ，貝殻類およびコンクリート廃材等を用いて酸性緩和をする方法とアルカリ資材に有機質資材を混合した酸遮断層を設けて酸性緩和してきた経緯がある。
【先行技術文献】
【特許文献】
【０００３】
【特許文献１】特開平１１−    ６１１１９号公報の発明
【特許文献２】特開２０００−２６５４７０号公報の発明
【特許文献３】特開２０００−２８２０３４号公報の発明
【発明の概要】
【発明が解決しようとする課題】
【０００４】
ところが，上記の従来工法の無機質である石灰岩砕石，鉱滓スラグ，貝殻類およびコンクリート廃材等を酸性緩和に単体で用いる手法では，アルカリ無機物の粒径を酸性緩和の効果の過度の発現を緩和するために調整しなければならず，アルカリ資材単独で用いることから，粒径を大きくしないと固化してしまい土壌水分の浸透が著しく悪くなることも問題となっていた。
また，アルカリ資材に有機物資材を混合して酸性遮断層を作る方法も考案されているものの，植栽木の土壌に酸性の緩衝機能がないことから，緩衝酸性土壌の影響を遮断層で緩衝できずに植栽木が枯死することが問題となっている。
【０００５】
そこで，本発明は，未整備の森林や酸性硫酸塩土壌でｐＨが４.４を下回る環境であることから養分を持つ力である陽イオン交換容量（ＣＥＣ）が著しく低下し，アルミニウム等の有害な塩基分が流れ出し，土壌構造が単粒化してしまう土壌環境に対して有機質資材であるバーク堆肥に強アルカリ資材である転炉スラグ，肥料，ゼオライト等を混合した植生基盤を吹き付け，播き出し，油圧ショベルで混合することで，植物が成長する土壌環境となると伴に酸性緩和も行える植生基盤を造成できるようにしたものである。
【０００６】
また、間伐，枝打ち等の森林整備が遅れることで土壌の酸性化が進行して土壌養分が流亡，団粒化が損なわれて土砂流出防止等の公益的機能が維持できなくなったスギ，ヒノキ等の人工林や酸性硫酸塩土壌等の特殊土壌であることから土壌ｐＨの著しい低下して強酸性土壌となっている対象地に対し，鋼を作る際に発生する転炉スラグと有機質資材を混合した客土を植生基材吹付機で対象面に吹き付けることによって，土壌ｐＨが著しく低下して機能不全となっている土壌構造を改善することを目的とするものである。
【課題を解決するための手段】
【０００７】
本発明の第１は，転炉スラグを用いた酸性緩和工法において，土壌の酸性を緩和するように転炉スラグと種子，バーク系基材，肥料，ゼオライトを混合した客土を酸性緩和基盤材とし、当該酸性緩和基盤材をハイドロシーダー又はモルタル・コンクリート吹付機等の吹付機や人力による播き出し，油圧ショベルによる混合して対象地に残置させることによって酸性土壌の構造を回復できるようにするものである。
【０００８】
本発明の第２は，第1の発明に係る転炉スラグを用いた酸性緩和工法において，有機質資材であるバーク堆肥，転炉スラグ，肥料，ゼオライト等の植生基盤をハイドロシーダー又はモルタル・コンクリート吹付機などの客土吹付機中で混合して客土を作成し，当該客土吹付機によって対象地への吹き付けを行うようにするものである。
【０００９】
本発明の第３は，第1の発明に係る転炉スラグを用いた酸性緩和工法において，有機質資材であるバーク堆肥，転炉スラグ，肥料，ゼオライト等の植生基盤を当該対象面へ播き出すことを行うようにするものである。
【００１０】
本発明の第４は，第1の発明に係る転炉スラグを用いた酸性緩和工法において，有機質資材であるバーク堆肥，転炉スラグ，肥料，ゼオライト等の植生基盤を当該対象面へ油圧ショベルによって混合することを行うようにするものである。
【００１１】
本発明の第５は，第１の発明に係る転炉スラグを用いた酸性緩和工法において，有機質資材であるバーク堆肥は，ｐＨ(Ｈ2Ｏ)で５.５〜７.５，電気伝導度が０.９ｍＳ／ｃｍ以下となるものを用い，土壌の酸性を緩和する素材についてはｐＨ(Ｈ2Ｏ)で１１.０以上，粒径φ＝２〜５ｍｍのものを利活用するものである。
【００１２】
本発明の第６は，第1の発明に係る転炉スラグを用いた酸性緩和工法において，対象地の土壌化学性の分析値を用いて陽イオン交換容量に占めるＣａ，Ｍｇ，Ｋ等の塩基量の過不足量に見合った施肥設計を利活用して導入する植物に適合した培地を作るようにするものである。
【００１３】
本発明の第７は，第1の発明に係る転炉スラグを用いた酸性緩和工法において，森林および強酸性土壌のｐＨを上昇させる緩衝資材としての転炉スラグは，粒径φ＝２〜５ｍｍのものを利活用するために転炉スラグを用いるものである。
【００１４】
本発明の第８は，第1の発明に係る転炉スラグを用いた酸性緩和工法において，客土に混合する肥料については，強酸性の対象地の土壌の化学性の分析値を用いて陽イオン交換容量に占めるＣａ，Ｍｇ，Ｋ等の塩基量の過不足量に見合った施肥設計を利活用するものである。
【００１５】
本発明の第９は，第1の発明に係る転炉スラグを用いた酸性緩和工法において，対象地の土壌分析結果から，Ｃａ，Ｍｇ，Ｋ等の塩基類を吸着する機能である陽イオン交換容量が低い場合には，陽イオン交換容量を高めるゼオライト系資材を混合するようにするものである。
【発明の効果】
【００１６】
本発明は上記の構成であることから，次の効果がある。すなわち，バーク堆肥及び転炉スラグを混合したものと肥料，ゼオライトを混合した客土を用いることにより，酸性化が進行して機能不全となっている土壌の改良ができ，植生が成育し易い環境へと移行することが期待できる。
また，この土壌効果の発現によって，対象となる森林および強酸性土壌が降雨等の外的ストレスによって流亡し難い環境とすることが可能となる。基材の対象面への残置については吹き付け，播き出し，油圧ショベルによる混合が実施可能であり，通常の土木工事で利活用されている機械の利用が可能である。
【００１７】
また，本発明にあっては，土壌の塩基飽和度を有機質資材であるバーク堆肥に転炉スラグの混合量を可変することにより変更できることから，対象地周辺の植生環境に見合った土壌環境とすることが可能となる。
【図面の簡単な説明】
【００１８】
【図１】本発明の実施工程を示す概略説明図である。
【図２】本発明の酸性緩和基盤材を対象面に播き出す模式図である。
【図３】本発明の酸性緩和基盤材を対象面で油圧ショベル等の建設機械を用いて混合する模式図である。
【発明を実施するための形態】
【００１９】
（１）土壌の団粒化を維持できる土壌環境では，土壌ｐＨが５〜６となるのに比較すると，現在の間伐や枝打ち等の森林整備が遅れている森林土壌や酸性硫酸塩土壌等の酸性化し易い土壌環境ではｐＨが４.４以下となってしまい，有機物及び有機物由来の塩類等が流亡して土壌構造が単粒化して砂質化してしまっていることを確認したことにある。このような環境では，植生の成育が著しく阻害されることから，降雨等の外的ストレスに対しても非常に弱くなっている。
（２）有機物資材であるバーク系堆肥は，樹皮や廃材等を１〜２年程度養生した後に製品化されるので，初期の段階ではｐＨが８程度のアルカリ性となる。
しかし，このような資材単独では，単粒化した土壌粒子を結びつける機能が低いことから強アルカリとなる転炉スラグを用いることによって，土壌の団粒化を図る。
（３）バーク系資材および転炉スラグは，降雨が連続すると流亡してしまうことが懸念される。このように導入した客土が流亡しないようにするために酢酸ビニール系粘結剤や中性の無機系固化剤を酢酸ビニール系では，１ｍ3に対して１ｋｇ，無機系固化剤では１０〜２０ｋｇ添加することで問題を解決している。
（４）粒径がφ＝１０ｍｍ以上やφ＝２ｍｍ以下の転炉スラグでは，基材の混合時に吹き付け機内で詰まるので，粒径についてはφ＝２〜５ｍｍ程度のものを用いることで解決している。
【実施例】
【００２０】
次に，本発明の実施例を説明する。図１において，１は酸性緩和基盤材，２は種子にバーク堆肥と転炉スラグを混合撹拌してなる客土であり，これを酸性緩和基盤材１として用いる。３は種子であり，市販の草本，木本種子，対象地周辺で植物から直接採取したもの及び対象地周辺の土地で休眠しているものを用いる。
４はバーク堆肥であり，Ｃ／Ｎ比で３５以下，有機質含有量７０％以上の資材を用いることとし，具体的にはバーク堆肥単独及び見分解の草本，木本のチップ等を用いる。ｐＨ(Ｈ2Ｏ)で５.５〜７.５，電気伝導度が０.９ｍＳ／ｃｍ以下の値のものを利活用する。５は転炉スラグであり，ｐＨ(Ｈ2Ｏ)で１１.０以上の値のものを利活用する。
【００２１】
６は客土を吹付機１２に搬送するベルトコンベア，７〜９は客土１に加えて吹付材を作るための部材である。すなわち，客土を硬化させるために酢酸ビニール系粘結剤又は無機質系中性固化剤等を可とし，粘結剤８を用水９と混合した７を得る。
１０は発電機，１１はコンプレッサ，１２は湿式の緑化基盤材の吹付機であり，ハイドロシーダー又はモルタル吹付機を用いるものとする。１３は揚水ポンプ，１４は水槽，１５は配電盤，１６は基盤材1を強酸性土壌面Ｇに吹き付ける噴射ノズルを示す。図３で１７は油圧ショベルを示す。
【００２２】
「具体的な施工例における施工順序」
（１）  種子３にバーク堆肥４と転炉スラグ５を混合撹拌してなる客土２を酸性緩和基盤材１とする。
（２）  酸性緩和基盤材の補強材として利用する粘結剤８を用水９と混合して混合物7を得る。
（３）  酸性緩和しようとする目的の強酸性土壌面Ｇに酸性緩和基盤材１を湿式の緑化基盤材の吹付機１２を使って吹き付ける。
（４）  強酸性土壌面Ｇの目的に応じて厚さ１．０〜５．０cm程度に吹き付けて酸性緩和基盤Ａを形成する。
【産業上の利用可能性】
【００２３】
本発明は，荒廃した森林および酸性硫酸塩土壌であることから強酸性土壌となって植生の侵入が起こらない箇所に対して，転炉スラグを投与することによって緩効的に持続的なアルカリ供給を行うこと行い，自然復元することが期待できる。
【符号の説明】
【００２４】
１……酸性緩和基盤材
２……客土
３……種子
４……バーク系の有機質資材
５……転炉スラグ
６……コンベア
７……混合物
８……粘結剤
９……用水
１０……発電機
１１……コンプレッサ
１２……基盤材の吹付機
１３……水汲み上げポンプ
１４……水槽
１５……配電盤
１６……噴射ノズル
１７……油圧ショベル
【図１】
2011099061.tif 000004
【図２】
2011099061.tif 000005
【図３】
2011099061.tif 000006
【手続補正書】
【提出日】平成22年10月19日(2010.10.19)
【手続補正１】
【補正対象書類名】特許請求の範囲
【補正対象項目名】全文
【補正方法】変更
【補正の内容】
【特許請求の範囲】
【請求項１】
土壌の酸性を緩和するように転炉スラグと種子，バーク堆肥単独及び未分解の草本,木本のチップを可とするバーク系の有機質資材を含有した客土を酸性緩和基盤材とし、当該酸性緩和基盤材をハイドロシーダー又はモルタル・コンクリート吹付機等の吹付機や人力による播き出し，油圧ショベルにより混合して対象地に残置させることによって酸性土壌の構造を回復できるようにすることを特徴とする転炉スラグを用いた酸性緩和工法。
【請求項２】
転炉スラグは，堆肥単独及び未分解の草本,木本のチップを可とするバーク系の有機質資材に対して容量換算で５〜９０％配合したものを用いることとし，配合された酸性緩和基盤を吹付機内で混合して客土を作成し，当該対象面への吹き付けを行うようにする請求項１記載の転炉スラグを用いた酸性緩和工法。
【請求項３】
転炉スラグは，堆肥単独及び未分解の草本,木本のチップを可とするバーク系の有機質資材に対して容量換算で５〜９０％配合したものを用いることとし，配合された酸性緩和基盤を人力によって播き出して，当該対象面へ供給する請求項１記載の転炉スラグを用いた酸性緩和工法。
【請求項４】
転炉スラグは，堆肥単独及び未分解の草本,木本のチップを可とするバーク系の有機質資材に対して容量換算で５〜９０％配合したものを用いることとし，配合された酸性緩和基盤を油圧ショベルで対象土壌と混合しながら，当該対象面へ供給する請求項１記載の転炉スラグを用いた酸性緩和工法。
【請求項５】
バーク系の有機質資材のバーク堆肥は，Ｃ／Ｎ比で３５以下，有機物含有量７０％以上の資材を用いることとし，ｐＨ(Ｈ2Ｏ)で５.５〜７.５，電気伝導度が０.９ｍＳ／ｃｍ以下の値のものを利活用する請求項１記載の転炉スラグを用いた酸性緩和工法。
【請求項６】
森林および強酸性土壌のｐＨを上昇させる緩衝資材としての転炉スラグは，ｐＨ(Ｈ2Ｏ)で１１.０以上のものを利活用する請求項１記載の転炉スラグを用いた酸性緩和工法。
【請求項７】
森林および強酸性土壌のｐＨを上昇させる緩衝資材としての転炉スラグは，粒径φ＝２〜５ｍｍのものを利活用する請求項１記載の転炉スラグを用いた酸性緩和工法。
【請求項８】
客土に肥料を配合して，強酸性の対象地の土壌の化学性の分析値を用いて陽イオン交換容量に占めるＣａ，Ｍｇ，Ｋ等の塩基量の過不足量に見合った施肥設計を利活用する請求項１記載の転炉スラグを用いた酸性緩和工法。
【請求項９】
対象地の土壌分析結果から，Ｃａ，Ｍｇ，Ｋ等の塩基類を吸着する機能である陽イオン交換容量が低い場合には，客土に陽イオン交換容量を高めるゼオライト系資材を配合する請求項１記載の転炉スラグを用いた酸性緩和工法。
【手続補正２】
【補正対象書類名】明細書
【補正対象項目名】００２０
【補正方法】変更
【補正の内容】
【００２０】
次に，本発明の実施例を説明する。図1において，１は酸性緩和基盤材，２は種子にバーク堆肥と転炉スラグを混合撹拌してなる客土であり，これを酸性緩和基盤材１として用いる。３は種子であり，市販の草本，木本種子，対象地周辺で植物から直接採取したもの及び対象地周辺の土地で休眠しているものを用いる。
４はバーク堆肥でありＣ／Ｎ比で３５以下，有機質含有７０％以上の資材を用いることとし，具体的にはバーク堆肥単独及び未分解の草本，木本のチップ等を用いる。ｐＨ（Ｈ２Ｏ）で５．５〜７．５，電気伝導度が０．９ｍＳ／ｃｍ以下の値のものを利活用する。５は転炉スラグであり，ｐＨ（Ｈ２Ｏ）で１１．０以上の値のものを利活用する。
【手続補正書】
【提出日】平成23年2月17日(2011.2.17)
【手続補正１】
【補正対象書類名】明細書
【補正対象項目名】全文
【補正方法】変更
【補正の内容】
【発明の詳細な説明】
【技術分野】
【０００１】
本発明は，間伐，枝打ち等の森林整備が遅れることで土壌の酸性化が進行して土壌養分が流亡，団粒化が損なわれて土砂流出防止等の公益的機能が維持できなくなったスギ，ヒノキ等の人工林や酸性硫酸塩土壌等の特殊土壌であることから強酸性となって土壌ｐＨの著しい低下を起こしている対象地に対して，鋼を作る際に発生する転炉スラグと有機質資材等を混合した客土を植生基材吹付機で対象面に吹き付ける手法や播き出す手法，油圧ショベルで混合する手法によって，土壌ｐＨが著しく低下して機能不全となっている土壌構造の改善することを可能にしたものである。
【背景技術】
【０００２】
一般的にスギ，ヒノキに代表される人工林では，間伐，枝打ち等の森林整備事業によって，立木密度を低下させることで森林内照度を確保すれば森林の機能が回復するとされてきた。しかし，過密に植栽された人工林内は低照度によって維持されている期間が長いことから土壌の酸性化の進行が顕著となっている。
また，酸性硫酸塩土壌等の特殊土壌によって土壌ｐＨが著しく低下して強酸性となっている箇所においても，そのまま放置した状態で土壌環境の改善が望めない状態となっている。その対処法として，無機物である石灰岩砕石，鉱滓スラグ，貝殻類およびコンクリート廃材等を用いて酸性緩和をする方法とアルカリ資材に有機質資材を混合した酸遮断層を設けて酸性緩和してきた経緯がある。
【先行技術文献】
【特許文献】
【０００３】
【特許文献１】特開平１１−    ６１１１９号公報の発明
【特許文献２】特開２０００−２６５４７０号公報の発明
【特許文献３】特開２０００−２８２０３４号公報の発明
【発明の概要】
【発明が解決しようとする課題】
【０００４】
ところが，上記の従来工法の無機質である石灰岩砕石，鉱滓スラグ，貝殻類およびコンクリート廃材等を酸性緩和に単体で用いる手法では，アルカリ無機物の粒径を酸性緩和の効果の過度の発現を緩和するために調整しなければならず，アルカリ資材単独で用いることから，粒径を大きくしないと固化してしまい土壌水分の浸透が著しく悪くなることも問題となっていた。
また，アルカリ資材に有機物資材を混合して酸性遮断層を作る方法も考案されているものの，植栽木の土壌に酸性の緩衝機能がないことから，緩衝酸性土壌の影響を遮断層で緩衝できずに植栽木が枯死することが問題となっている。
【０００５】
そこで，本発明は，未整備の森林や酸性硫酸塩土壌でｐＨが４.４を下回る環境であることから養分を持つ力である陽イオン交換容量（ＣＥＣ）が著しく低下し，アルミニウム等の有害な塩基分が流れ出し，土壌構造が単粒化してしまう土壌環境に対して有機質資材であるバーク堆肥に強アルカリ資材である転炉スラグ，肥料，ゼオライト等を混合した植生基盤を吹き付け，播き出し，油圧ショベルで混合することで，植物が成長する土壌環境となると伴に酸性緩和も行える植生基盤を造成できるようにしたものである。
【０００６】
また，間伐，枝打ち等の森林整備が遅れることで土壌の酸性化が進行して土壌養分が流亡，団粒化が損なわれて土砂流出防止等の公益的機能が維持できなくなったスギ，ヒノキ等の人工林や酸性硫酸塩土壌等の特殊土壌であることから土壌ｐＨの著しい低下して強酸性土壌となっている対象地に対し，鋼を作る際に発生する転炉スラグと有機質資材を混合した客土を植生基材吹付機で対象面に吹き付けることによって，土壌ｐＨが著しく低下して機能不全となっている土壌構造を改善することを目的とするものである。
【課題を解決するための手段】
【０００７】
本発明の第１は、転炉スラグを用いた酸性緩和工法において、土壌の酸性を緩和するように転炉スラグと,有機物が７０％以上の含有量を有し,Ｃ／Ｎ比で３５以下，ｐＨ（Ｈ２Ｏ）が５．５〜７．５，電気伝導度が０．９ｍＳ／ｃｍ以下の値を有するバーク堆肥単独又は未分解の草本,又は木本のチップを可とする有機質資材と,種子を混合撹拌してなる客土を酸性緩和基盤材とし,当該緩和基盤材(1)に粘結剤,用水を混合してなる混合物を対象地に残置させることによって酸性土壌の構造を回復できるようにするものである。
【０００８】
本発明の第２は第1の発明に係る転炉スラグを用いた酸性緩和工法において、転炉スラグは，バーク系の有機質資材に対して容量換算で５〜９０％配合したものを用いることとし，配合された酸性緩和基盤材を吹付機内で混合して作成した混合物をハイドロシーダー又はモルタル・コンクリート吹付機で対象面への吹付けを行うようにするものである。
【０００９】
本発明の第３は第1の発明に係る転炉スラグを用いた酸性緩和工法において、転炉スラグは，バーク系の有機質資材に対して容量換算で５〜９０％配合したものを用いることとし，配合された酸性緩和基盤材を混合して作成した混合物を人力によって播き出して，当該対象面へ供給するものである。
【００１０】
本発明の第４は第1の発明に係る転炉スラグを用いた酸性緩和工法において、転炉スラグは，バーク系の有機質資材に対して容量換算で５〜９０％配合したものを用いることとし，配合された酸性緩和基盤材を油圧ショベルで対象土壌と混合しながら，当該対象面へ供給するものである。
【００１１】
本発明の第５は第1の発明に係る転炉スラグを用いた酸性緩和工法において、森林および強酸性土壌のｐＨを上昇させる緩衝資材としての転炉スラグは，ｐＨ（Ｈ２Ｏ）で１１．０以上の数値のものを用いるものである。
【００１２】
本発明の第６は第１の発明に係る転炉スラグを用いた酸性緩和工法において、森林および強酸性土壌のｐＨを上昇させる緩衝資材としての転炉スラグは，粒径φ＝２〜５ｍｍのものを用いるものである。
【００１３】
本発明の第７は第１の発明に係る転炉スラグを用いた酸性緩和工法において、客土に肥料を配合して，強酸性の対象地の土壌の化学性の分析値を用いて陽イオン交換容量に占めるＣａ，Ｍｇ，Ｋの塩基量の過不足量に見合った施肥設計を施すものである。
【００１４】
本発明の第８は第１の発明に係る転炉スラグを用いた酸性緩和工法において、対象地の土壌分析結果から，Ｃａ，Ｍｇ，Ｋ等の塩基類を吸着する機能である陽イオン交換容量が低い場合には，客土に陽イオン交換容量を高めるゼオライト系資材を配合するものである。
【発明の効果】
【００１５】
本発明は上記の構成であることから，次の効果がある。すなわち，バーク堆肥及び転炉スラグを混合したものと肥料，ゼオライトを混合した客土を用いることにより，酸性化が進行して機能不全となっている土壌の改良ができ，植生が成育し易い環境へと移行することが期待できる。
また，この土壌効果の発現によって，対象となる森林および強酸性土壌が降雨等の外的ストレスによって流亡し難い環境とすることが可能となる。基材の対象面への残置については吹き付け，播き出し，油圧ショベルによる混合が実施可能であり，通常の土木工事で利活用されている機械の利用が可能である。
【００１６】
また，本発明にあっては，土壌の塩基飽和度を有機質資材であるバーク堆肥に転炉スラグの混合量を可変することにより変更できることから，対象地周辺の植生環境に見合った土壌環境とすることが可能となる。
【図面の簡単な説明】
【００１７】
【図１】本発明の実施工程を示す概略説明図である。
【図２】本発明の酸性緩和基盤材を対象面に播き出す模式図である。
【図３】本発明の酸性緩和基盤材を対象面で油圧ショベル等の建設機械を用いて混合する模式図である。
【発明を実施するための形態】
【００１８】
（１）土壌の団粒化を維持できる土壌環境では，土壌ｐＨが５〜６となるのに比較すると，現在の間伐や枝打ち等の森林整備が遅れている森林土壌や酸性硫酸塩土壌等の酸性化し易い土壌環境ではｐＨが４.４以下となってしまい，有機物及び有機物由来の塩類等が流亡して土壌構造が単粒化して砂質化してしまっていることを確認したことにある。このような環境では，植生の成育が著しく阻害されることから，降雨等の外的ストレスに対しても非常に弱くなっている。
（２）有機物資材であるバーク系堆肥は，樹皮や廃材等を１〜２年程度養生した後に製品化されるので，初期の段階ではｐＨが８程度のアルカリ性となる。
しかし，このような資材単独では，単粒化した土壌粒子を結びつける機能が低いことから強アルカリとなる転炉スラグを用いることによって，土壌の団粒化を図る。
（３）バーク系資材および転炉スラグは，降雨が連続すると流亡してしまうことが懸念される。このように導入した客土が流亡しないようにするために酢酸ビニール系粘結剤や中性の無機系固化剤を酢酸ビニール系では，１ｍ3に対して１ｋｇ，無機系固化剤では１０〜２０ｋｇ添加することで問題を解決している。
（４）粒径がφ＝１０ｍｍ以上やφ＝２ｍｍ以下の転炉スラグでは，基材の混合時に吹き付け機内で詰まるので，粒径についてはφ＝２〜５ｍｍ程度のものを用いることで解決している。
【実施例】
【００１９】
次に，本発明の実施例を説明する。図１において，１は酸性緩和基盤材，２は種子にバーク堆肥と転炉スラグを混合撹拌してなる客土であり，これを酸性緩和基盤材１として用いる。３は種子であり，市販の草本種子，又は木本種子，又は対象地周辺で植物から直接採取した種子及び対象地周辺の土地で休眠しているものを用いる。
４はバーク堆肥であり，Ｃ／Ｎ比が３５以下，有機質含有量７０％以上の資材を用いることとし，具体的にはバーク堆肥単独又は未分解の草本，又は木本のチップ等を用いる。ｐＨ(Ｈ2Ｏ)で５.５〜７.５，電気伝導度が０.９ｍＳ／ｃｍ以下の値のものを用いる。５は転炉スラグであり，ｐＨ(Ｈ2Ｏ)で１１.０以上の値のものを用いる。
【００２０】
６は客土を吹付機１２に搬送するベルトコンベア，７〜９は客土２に加えて吹付材を作るための部材である。すなわち，客土を硬化させるために酢酸ビニール系粘結剤又は無機質系中性固化剤等を可とし，粘結剤８を用水９と混合して混合物７を得る。
１０は発電機，１１はコンプレッサ，１２は湿式の緑化基盤材の吹付機であり，ハイドロシーダー又はモルタル吹付機を用いるものとする。１３は揚水ポンプ，１４は水槽，１５は配電盤，１６は基盤材１
を強酸性土壌面Ｇに吹き付ける噴射ノズルを示す。図３で１７は油圧ショベルを示す。
【００２１】
「具体的な施工例における施工順序」
（１）  種子３にバーク堆肥４と転炉スラグ５を混合撹拌してなる客土２を酸性緩和基盤材１とする。
（２）  酸性緩和基盤材の補強材として利用する粘結剤８を用水９と混合して混合物7を得る。
（３）  酸性緩和しようとする目的の強酸性土壌面Ｇに酸性緩和基盤材１を湿式の緑化基盤材の吹付機１２を使って吹き付ける。
（４）  強酸性土壌面Ｇの目的に応じて厚さ１．０〜５．０cm程度に吹き付けて酸性緩和基盤Ａを形成する。
【産業上の利用可能性】
【００２２】
本発明は，荒廃した森林および酸性硫酸塩土壌であることから強酸性土壌となって植生の侵入が起こらない箇所に対して，転炉スラグを投与することによって緩効的に持続的なアルカリ供給を行うこと行い，自然復元することが期待できる。
【符号の説明】
【００２３】
１……酸性緩和基盤材
２……客土
３……種子
４……バーク系の有機質資材
５……転炉スラグ
６……コンベア
７……混合物
８……粘結剤
９……用水
１０……発電機
１１……コンプレッサ
１２……酸性緩和基盤材の吹付機
１３……水汲み上げポンプ
１４……水槽
１５……配電盤
１６……噴射ノズル
１７……油圧ショベル
【手続補正２】
【補正対象書類名】特許請求の範囲
【補正対象項目名】全文
【補正方法】変更
【補正の内容】
【特許請求の範囲】
【請求項１】
土壌の酸性を緩和するように転炉スラグと,有機物が７０％以上の含有量を有し,Ｃ／Ｎ比で３５以下，ｐＨ（Ｈ２Ｏ）が５．５〜７．５，電気伝導度が０．９ｍＳ／ｃｍ以下の値を有するバーク堆肥単独又は未分解の草本,又は木本のチップを可とする有機質資材と,種子を混合撹拌してなる客土を酸性緩和基盤材とし,当該緩和基盤材に粘結剤,用水(9)を混合してなる混合物を対象地に残置させることによって酸性土壌の構造を回復できるようにしたことを特徴とする転炉スラグを用いた酸性緩和工法。
【請求項２】
転炉スラグは，バーク系の有機質資材に対して容量換算で５〜９０％配合したものを用いることとし，配合された酸性緩和基盤材を吹付機内で混合して作成した混合物をハイドロシーダー又はモルタル・コンクリート吹付機で対象面への吹付けを行うようにする請求項１記載の転炉スラグを用いた酸性緩和工法。
【請求項３】
転炉スラグは，バーク系の有機質資材に対して容量換算で５〜９０％配合したものを用いることとし，配合された酸性緩和基盤材を混合して作成した混合物を人力によって播き出して，当該対象面へ供給する請求項１記載の転炉スラグを用いた酸性緩和工法。
【請求項４】
転炉スラグは，バーク系の有機質資材に対して容量換算で５〜９０％配合したものを用いることとし，配合された酸性緩和基盤材を油圧ショベルで対象土壌と混合しながら，当該対象面へ供給する請求項１記載の転炉スラグを用いた酸性緩和工法。
【請求項５】
森林および強酸性土壌のｐＨを上昇させる緩衝資材としての転炉スラグは，ｐＨ（Ｈ２Ｏ）で１１．０以上の数値のものを用いる請求項１記載の転炉スラグを用いた酸性緩和工法。
【請求項６】
森林および強酸性土壌のｐＨを上昇させる緩衝資材としての転炉スラグは，粒径φ＝２〜５ｍｍのものを利活用する請求項１記載の転炉スラグを用いた酸性緩和工法。
【請求項７】
客土に肥料を配合して，強酸性の対象地の土壌の化学性の分析値を用いて陽イオン交換容量に占めるＣａ，Ｍｇ，Ｋの塩基量の過不足量に見合った施肥設計を施す請求項1記載の転炉スラグを用いた酸性緩和工法。
【請求項８】
対象地の土壌分析結果から，Ｃａ，Ｍｇ，Ｋ等の塩基類を吸着する機能である陽イオン交換容量が低い場合には，客土に陽イオン交換容量を高めるゼオライト系資材を配合する請求項１記載の転炉スラグを用いた酸性緩和工法。